(57)【要約】【課題】耐久性および施工性の向上が図られる遮音性および吸音性を有する遮音パネルを提供する。【解決手段】２枚の金属板２０の間に、１２５〜２００ｋｇ／ｍ３の高密度に圧縮された芯材３０を挟んで接着させた構成を有する。【選択図】図１
2015209734.tif 000002
【特許請求の範囲】
【請求項１】
２枚の金属板の間に、１２５〜２００ｋｇ／ｍ３の高密度に圧縮された芯材が挟まれてなることを特徴とする遮音パネル。
【請求項２】
前記芯材は繊維が一方向に延びる材料からなり、その繊維の延びる方向が厚さ方向に沿っていることを特徴とする請求項１に記載の遮音パネル。
【請求項３】
全体厚さが５０〜２５０ｍｍであることを特徴とする請求項１または２に記載の遮音パネル。
【請求項４】
前記金属板の厚さが０．２〜２．０ｍｍであることを特徴とする請求項１または２に記載の遮音パネル。
【発明の詳細な説明】
【技術分野】
【０００１】
本発明は、遮音性および吸音性を有する遮音パネルに関する。
【背景技術】
【０００２】
例えば高速道路の側壁には遮音性および吸音性が求められる場合があり、従来は主に複数のコンクリートパネルを道路に沿って施工して主に遮音性を有する側壁を設けている（特許文献１等）。
【先行技術文献】
【特許文献】
【０００３】
【特許文献１】特開２００６−１２４９７５号公報
【発明の概要】
【発明が解決しようとする課題】
【０００４】
しかし、コンクリートパネルは、例えば熱による収縮・膨張が生じたり、寒冷地では塩化カルシウム等の融雪剤が付着したりすることで、クラック等の損傷が生じる場合が多く、耐久性に問題がある。また、重量がかさむため施工性がよいとは言えず、施工者の負担も大きかった。
【０００５】
本発明は上記事情に鑑みてなされたものであり、その主な課題としては、耐久性および施工性の向上が図られる遮音性および吸音性を有する遮音パネルを提供することにある。
【課題を解決するための手段】
【０００６】
本発明の遮音パネルは、２枚の金属板の間に、１２５〜２００ｋｇ／ｍ３の高密度に圧縮された芯材が挟まれてなることを特徴とする。
【０００７】
本願発明では、前記芯材は繊維が一方向に延びる材料からなり、その繊維の延びる方向が厚さ方向に沿っている形態を含む。
【０００８】
また、本発明の遮音パネルは、全体厚さが５０〜２５０ｍｍであることを特徴とする。また、前記金属板の厚さが０．２〜２．０ｍｍであることを特徴とする。
【発明の効果】
【０００９】
本発明によれば、従来のコンクリートパネルのように熱による収縮・膨張や融雪剤の付着等によってクラック等の損傷が生じることが抑えられ、高い耐久性を発揮する。また、芯材が高密度に圧縮されているためパネルの薄化が図られるとともに、比較的軽量であることから、施工性が向上し、施工者の負担が軽減する。すなわち、耐久性および施工性の向上が図られる遮音性および吸音性を有する遮音パネルが提供されるといった効果を奏する。
【図面の簡単な説明】
【００１０】
【図１】本発明の一実施形態に係る遮音パネルの（ａ）：正面図、（ｂ）：（ａ）のＢ−Ｂ断面図、（ｃ）：（ａ）のＣ−Ｃ断面図である。
【図２】一実施形態に係る遮音パネルで構築される遮音壁の一部を示す（ａ）：横断面図、（ｂ）：正面図である。
【発明を実施するための形態】
【００１１】
以下、図面を参照して本発明の一実施形態を説明する。
図１は一実施形態に係る遮音パネル１０を示している。この遮音パネル１０は、２枚の金属板２０の間に芯材３０が挟まれた構成を有している。
【００１２】
金属板２０は、カラー鋼板、フッ素鋼板、塩ビ鋼板、ＳＵＳ等のステンレス板等が用いられる。芯材３０は、不燃性および断熱性を備えた無機系繊維等を、１２５〜２００ｋｇ／ｍ３の高密度にパネル状に圧縮成形したものが用いられる。そのような芯材３０の材料としては、例えば、製鉄プロセスで得られるガラス状の鉄炉スラグに石灰等を混合して高温で溶解し生成されるパネル状のロックウールや、パネル状のグラスウール等の無機系人造繊維等が挙げられる。繊維が一方向に延びる材料で芯材３０が製造される場合には、その繊維の延びる方向が遮音パネル１０の厚さ方向に沿っているものとすると、強度向上が図られるため好ましい。
【００１３】
この場合の遮音パネル１０は、長手方向を水平方向と平行にして立てた状態で、複数枚が上下に積み上げられて、例えば周辺環境に騒音低減が求められる高速道路や一般道路の遮音壁を構築する。このように壁材として使用される遮音パネル１０の寸法は、例えば、幅：１５００〜６０００ｍｍ、高さ：４５０〜１２００ｍｍ程度とされ、全体厚さが５０〜２５０ｍｍ程度とされる。また、金属板２０の厚さは０．２〜２．０ｍｍ程度とされる。遮音パネル１０は、芯材３０の両面に金属板２０を接着剤で接着して金属サンドイッチパネルを製造するという製造方法で製造することができる。
【００１４】
複数枚の遮音パネル１０を用いて遮音壁を構築する手法の一例としては、図２に示すように、遮音パネル１０の幅寸法に対応する間隔をおいてＨ鋼からなる支柱１を立設し、それら支柱１間に上方から複数の遮音パネル１０を挿入して遮音壁５を構築する手法が採用される。支柱１はウェブ１ａの両側縁にフランジ１ｂが形成されたＨ鋼であり、両側面にコ字状の溝部１ｃが形成されている。支柱１は、両側の溝部１ｃを遮音パネル１０を立てる側に向け、隣接する支柱１の溝部１ｃが互いに対向する状態に立てられる。遮音パネル１０は、２つの支柱１の間において、それら支柱１の溝部１ｃに左右の両端部をそれぞれ上方から入れ込むことで支柱１間に立てた状態に支持され、複数の遮音パネル１０を支柱１の間に積み上げて遮音壁５が構築される。
【００１５】
図１（ｃ）に示すように、遮音パネル１０の上端部には、表裏の金属板２０が内側に絞られて幅がやや小さくなることで、凸部１１が形成されている。金属板２０の上端は内側に直角に屈曲してその屈曲部２１が芯材３０の上面の一部を覆っている。そして遮音パネル１０の上端面は、防湿防水剤を塗布した後に、断面コ字状の上部カバー４０が嵌め込まれ、この上部カバー４０によって覆われている。なお、上記のように支柱１間に複数枚の遮音パネル１０を積み上げて遮音壁５を構築する場合において、もっとも上に積み上げられる遮音パネル１０の上端部には、必要に応じて例えば金属製の笠木が被せられる。
【００１６】
図１（ｃ）に示すように、遮音パネル１０の下端部においては、金属板２０が芯材３０よりも下方に突出している。それら突出部２２は、１８０°の折り返し角度で内側に折り返して形成されており、折り返された後は内側に直角に屈曲してその屈曲部２３が芯材３０の下面の一部を覆っている。屈曲部２３間の芯材３０の下面は、防湿防水剤を塗布した後に、ブチルゴム等からなる防水シート８１が貼着される。金属板２０の表裏の突出部２２間には、上端部の凸部１１が内側に嵌合する溝状の凹部１２が形成されており、上記のように支柱１間に遮音パネル１０を入れ込んで積み上げる際には、下側の遮音パネル１０の凸部１を、積層する上側の遮音パネル１０の凹部１２に嵌め込むことで、積層状態が安定するようになされている。
【００１７】
また、遮音パネル１０の左右の側端部には、断面コ字状の側部カバー５０が嵌め込まれ、この側部カバー５０によって覆われている。この側部カバー５０の内側には、防水パッキン８２が挟まれる。側部カバー５０は、ボルト等の締結具７１によって側端部に固定されている。側部カバー５０は、上側の凸部１１の下端から遮音パネル１０自体の下端縁までの長さを有し、また、その幅は、Ｈ鋼からなる支柱１の溝部１ｃの深さを超える寸法を有している。また、凸部１１の左右両端の上面であって上部カバー４０と側部カバー５０との間の角部の表面には、ブチルゴム等からなる防水シート８３が貼着される。
【００１８】
一実施形態の遮音パネル１０によれば、従来のコンクリートパネルのように熱による収縮・膨張や融雪剤の付着等によってクラック等の損傷が生じることが抑えられ、高い耐久性を発揮する。また、芯材３０が高密度に圧縮されているためパネルの薄化が図られるとともに、比較的軽量であるという特徴を有している。このため、施工性が向上し、施工者の負担が軽減するという利点もある。さらに、また、遮音性および吸音性のみならず不燃断熱性も備えているため、そのような性能が要求される箇所への利用も可能である。
【００１９】
遮音性の面では、「ＪＩＳ Ａ １４１６」に準ずる音響透過損失試験を行った際の規定値をクリアすることができる遮音性を得ることができる。
【００２０】
また、強度の面では、曲げ強度等の強度向上に伴う安全性が向上するという利点がある。例えばその強度は、次式（１）で求められる橋梁部の風荷重（風圧力とも称する、遮音壁横断方向に作用する水平荷重を言う）Ｐが２．０ｋＮ／ｍ２程度と、高い値を示すことが可能である。
【００２１】
Ｐ（風荷重）ｋＮ／ｍ２ ＝１／２・ρ・Ｖ２・ＣＤ  …（１）
ρ：空気密度  １．２５Ｎ・ｓｅｃ２／ｍ４
Ｖ：設計風速  ４５ｍ／ｓｅｃ
ＣＤ：抗力係数（橋梁部）  １．６
風荷重の算出にあたっては、耐用年数２０年、非超過確率０．６として基本風速３７．２ｍ／ｓｅｃを採用し、水平補正係数１．２をとって３７．２／ｓｅｃを設計の基本風速とする。
【００２２】
なお、遮音パネル１０の用途としては、上記の道路側壁を構成する遮音壁の他に、音漏れのしにくい部屋を構築する上でのカラオケボックスや音楽スタジオ等の遮音性および吸音性が求められる部屋の壁材や、騒音低減が求められるクリーンルームの壁材等、種々の遮音用および吸音用の壁材として好適に用いられる。
【符号の説明】
【００２３】
１…支柱
５…遮音壁
１０…遮音パネル
２０…金属板
３０…芯材
【図１】
2015209734.tif 000003
【図２】
2015209734.tif 000004